【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
無線通信システム内で動作可能な装置であって、
第１の登録が要求されるか否かを決定するための手段、
第１の登録が要求されることが決定される場合、第１の登録を実行するための手段、および、
前記第１の登録に応じて第２の登録エリアを発生するための手段
を具備する装置。
【請求項２】
第１の登録が要求されるか否かを決定するための前記手段は、現在の位置が第１の登録エリアの外部にあるか否かを決定するための手段を備える、
請求項１記載の装置。
【請求項３】
現在の位置が第１の登録エリアの外部にあるか否かを決定するための前記手段はアクセス端末の前記現在の位置を決定するための手段を備える、
請求項２記載の装置。
【請求項４】
第２の登録エリアを発生するための前記手段は新登録エリアを決定し、そしてそれを第１の登録エリアに加えるための手段を備える、
請求項２記載の装置。
【請求項５】
第２の登録エリアを発生するための前記手段は現在のサービス基地局のカバレッジエリアを使用して新エリアを発生するための手段を備える、
請求項１記載の装置。
【請求項６】
第２の登録エリアを発生するための前記手段は現在の位置を使用して新エリアを発生するための手段を備える、
請求項１記載の装置。
【請求項７】
現在の位置を使用するための前記手段はグローバルポジショニングシステム（ＧＰＳ）を使用して前記現在の位置を決定するための手段から成る、
請求項６記載の装置。
【請求項８】
第２の登録エリアを発生するための前記手段は第１のアクセス点の位置を使用して新エリアを発生するための手段を備える、
請求項１記載の装置。
【請求項９】
前記第１のアクセス点の位置を使用するための前記手段は前記第１のアクセス点の経度および緯度値を使用するための手段を備える、
請求項８記載の装置。
【請求項１０】
第２の登録が要求されるか否かを決定するための手段、
第２の登録が要求されることが決定される場合、第２の登録を実行するための手段、および、
第３の登録エリアを発生するための手段、
をさらに具備する請求項１記載の装置。
【請求項１１】
第１の登録エリアから前記第２の登録エリアに移行するための手段をさらに備え、前記第１の登録エリアは小さく、および第２の登録エリアは大きい、
請求項１記載の装置。
【請求項１２】
前記第１の登録が要求されるか否かを決定するための前記手段は、前記アクセス端末の位置を決定するための手段および前記位置が第１の登録エリアの外部にあるか否かを決定するための手段から成る、
請求項１記載の装置。
【請求項１３】
前記位置を決定するための前記手段はサービングアクセス点の経度および緯度値を使用するための手段を備える、
請求項１２記載の装置。
【請求項１４】
前記位置を決定するための前記手段は前記アクセス端末の前記位置を得るためにＧＰＳを使用するための手段を備える、
請求項１３記載の装置。
【請求項１５】
前記位置を決定するための前記手段は前記アクセス端末が交差した登録数についての情報を使用するための手段を備える、
請求項１３記載の装置。
【請求項１６】
無線通信システム内で登録エリアを調整するための無線装置における方法であって、
第１の登録が要求されるか否かを決定すること、
第１の登録が要求されることが決定される場合、第１の登録を実行すること、および、
前記第１の登録に応じて第２の登録エリアを発生すること、
を含む方法。
【請求項１７】
第１の登録が要求されるか否かを前記決定することは、現在の位置が第１の登録エリアの外部にあるか否かを決定することを備える、
請求項１６記載の方法。
【請求項１８】
現在の位置が第１の登録エリアの外部にあるか否かを前記決定することはアクセス端末の前記現在の位置を決定することを備える、
請求項１７記載の方法。
【請求項１９】
第２の登録エリアを前記発生することは新登録エリアを決定し、それを第１の登録エリアに加えることを備える、
請求項１７記載の方法。
【請求項２０】
第２の登録エリアを前記発生することは現在のサービス基地局のカバレッジエリアを使用して新エリアを発生することを備える、
請求項１６記載の方法。
【請求項２１】
第２の登録エリアを前記発生することは現在の位置を使用して新エリアを発生することを備える、
請求項１６記載の方法。
【請求項２２】
現在の位置を使用することはグローバルポジショニングシステム（ＧＰＳ）を使用して前記現在の位置を決定することから成る、
請求項２１記載の方法。
【請求項２３】
第２の登録エリアを前記発生することは第１のアクセス点の位置を使用して新エリアを発生することを備える、
請求項１６記載の方法。
【請求項２４】
前記第１のアクセス点の位置を使用することは前記第１のアクセス点の経度および緯度値を使用することから成る、
請求項２３記載の方法。
【請求項２５】
第２の登録が要求されるか否かを決定すること、
第２の登録が要求されることが決定される場合、第２の登録を実行すること、および、
第３の登録エリアを発生すること、
をさらに備える請求項１６記載の方法。
【請求項２６】
第１の登録エリアから前記第２の登録エリアに移行することをさらに備え、前記第１の登録エリアは小さくそして第２の登録エリアは大きい、
請求項１６記載の方法。
【請求項２７】
前記第１の登録が要求されるか否かを前記決定することは、前記アクセス端末の位置を決定することおよび前記位置が第１の登録エリアの外部にあるか否かを決定することから成る、請求項１６記載の方法。
【請求項２８】
前記位置を前記決定することはサービングアクセス点の経度および緯度値を使用することから成る、
請求項２７記載の方法。
【請求項２９】
前記位置を前記決定することは前記アクセス端末の前記位置を得るためにＧＰＳを使用するための手段から成る、請求項２８記載の方法。
【請求項３０】
前記位置を前記決定することは前記アクセス端末が交差した登録数についての情報を使用することから成る、
請求項２８記載の方法。
【請求項３１】
無線通信システム内で動作可能な装置であって、
第１の登録が要求されるか否かを決定するように構成されたプロセッサを備え、前記プロセッサは、第１の登録が要求されることが決定される場合、第１の登録を実行するようにさらに構成され、そして前記プロセッサは、前記第１の登録に応じて第２の登録エリアを発生するようにさらに構成される装置。
【請求項３２】
前記プロセッサは現在の位置が第１の登録エリアの外部にあるか否かを決定するようにさらに構成される、
請求項３１記載の装置。
【請求項３３】
前記プロセッサは前記現在の位置を決定するようにさらに構成される、
請求項３２記載の装置。
【請求項３４】
前記プロセッサは、新登録エリアを決定し、およびそれを第１の登録エリアに加えるようにさらに構成される、
請求項３２記載の装置。
【請求項３５】
前記プロセッサは、現在のサービス基地局のカバレッジエリアを使用して新エリアを発生するようにさらに構成される、
請求項３１記載の装置。
【請求項３６】
前記プロセッサは、現在の位置を使用して新エリアを発生するようにさらに構成される、請求項３１記載の装置。
【請求項３７】
前記プロセッサは、グローバルポジショニングシステム（ＧＰＳ）を使用して前記現在の位置を決定するようにさらに構成される、
請求項３６記載の装置。
【請求項３８】
前記プロセッサは、第１のアクセス点の位置を使用して新エリアを発生するようにさらに構成される、
請求項３１記載の装置。
【請求項３９】
前記プロセッサは、アクセス点の前記位置を決定するために前記第１のアクセス点の経度および緯度値を使用するようにさらに構成される、
請求項３８記載の装置。
【請求項４０】
前記プロセッサは、第２の登録が要求されるか否かを決定するようにさらに構成され、第２の登録が要求されることが決定される場合、前記プロセッサは第２の登録を実行するようにさらに構成され、および前記プロセッサは、第３の登録エリアを発生するようにさらに構成される、
請求項３１記載の装置。
【請求項４１】
機械可読媒体であって、機械によって実行される時に、前記機械に
第１の登録が要求されるか否かを決定すること、
第１の登録が要求されることが決定される場合、第１の登録を実行すること、および、
前記第１の登録に応じて第２の登録エリアを発生すること
を含む動作を行わせる命令を含む機械可読媒体。
【請求項４２】
第１の登録が要求されるか否かを前記決定することは、現在の位置が第１の登録エリアの外部にあるか否かを決定することを備える、
請求項４１記載の機械可読媒体。
【請求項４３】
現在の位置が第１の登録エリアの外部にあるか否かを前記決定することはアクセス端末の前記現在の位置を決定することを備える、
請求項４２記載の機械可読媒体。
【請求項４４】
第２の登録エリアを前記発生することは新登録エリアを決定し、それを第１の登録エリアに加えることを備える、
請求項４２記載の機械可読媒体。
【請求項４５】
第２の登録が要求されるか否かを決定すること、
第２の登録が要求されることが決定される場合、第２の登録を実行すること、および、
第３の登録エリアを発生すること、
をさらに備える請求項４１記載の機械可読媒体。
【請求項４６】
無線通信システム内で動作可能な装置であって、
第１の登録が要求されるか否かを決定するように構成されたプロセッサ、前記プロセッサは、第１の登録が要求されることが決定される場合、第１の登録を実行するようにさらに構成され、そして前記プロセッサは、前記第１の登録に応じて第２の登録エリアを発生するようにさらに構成され、
登録エリアのパラメータを蓄積するように構成されたメモリ、および、
登録要求を送信するように構成された送信器、
を備える装置。
【請求項４７】
無線通信システム内で動作可能な装置であって、
第１の登録要求を前記第１の登録エリアの外部にあるアクセス端末から受信するための手段、および、
前記第１の登録要求を受信することに応じて前記アクセス端末のための調整された登録エリアに基づいて前記アクセス端末のための前記ページングエリアを調整するための手段、
を具備する装置。
【請求項４８】
無線通信エリア内のページングエリアを調整するための方法であって、
第１の登録要求を前記第１の登録エリアの外部にあるアクセス端末から受信すること、および、
前記第１の登録要求を受信することに応じて前記アクセス端末のための調整された登録エリアに基づいて前記アクセス端末のための前記ページングエリアを調整すること、
を含む方法。
【請求項４９】
装置はアクセス端末である、
請求項１記載の装置。
【請求項５０】
第２の登録エリアを発生するための前記手段は、パワーセービングモードにある間に前記第２の登録エリアを発生する
請求項１記載の装置。